【手続補正書】
【提出日】平成17年6月9日(2005.6.9)
【手続補正１】
【補正対象書類名】明細書
【補正対象項目名】発明の名称
【補正方法】変更
【補正の内容】
【発明の名称】色処理方法、装置、及びコンピュータプログラム
【手続補正２】
【補正対象書類名】明細書
【補正対象項目名】特許請求の範囲
【補正方法】変更
【補正の内容】
【特許請求の範囲】
【請求項１】
複数の３次元オブジェクトを表示するための色処理方法であって、
複数の色情報群を取得する色情報群取得工程と、
取得された前記複数の色情報群を用いて、複数の３次元オブジェクトデータを生成する３次元オブジェクトデータ生成工程と、
前記３次元オブジェクトにおいて表示する部分が異なる複数の表示形態から、ユーザー指示に応じて選択された表示形態を、前記３次元オブジェクトデータの表示形態として設定する設定工程と、
前記複数の３次元オブジェクトデータを用いて、設定された前記表示形態に応じた複数の３次元オブジェクト画像を生成する生成工程と
を有することを特徴とする色処理方法。
【請求項２】
前記表示形態にはワイヤーフレーム表示が含まれ、
該ワイヤーフレーム表示において前記表示する部分は、前記３次元オブジェクトの稜線であることを特徴とする請求項１に記載の色処理方法。
【請求項３】
前記表示形態にはポリゴン表示が含まれ、
該ポリゴン表示において前記表示する部分は、前記３次元オブジェクトの表面であることを特徴とする請求項１又は２に記載の色処理方法。
【請求項４】
前記複数の３次元オブジェクトデータのそれぞれに対して独立に、前記表示形態に関するユーザー指示の入力を受け付けることを特徴とする請求項１乃至３のいずれかに記載の色処理方法。
【請求項５】
更に、前記ユーザー指示に基づき、ジオメトリ情報を設定するジオメトリ情報設定工程を有し、
前記生成工程では、前記設定されたジオメトリ情報に基づく３次元オブジェクト画像が生成されることを特徴とする請求項１乃至４のいずれかに記載の色処理方法。
【請求項６】
前記ジオメトリ情報は、前記複数の３次元オブジェクト画像を生成する際の視点情報、拡大表示/縮小表示情報のいずれかを含むことを特徴とする請求項５に記載の色処理方法。
【請求項７】
前記色情報取得工程では、ユーザー指示に応じて選択された色情報群が取得されることを特徴とする請求項１乃至６のいずれかに記載の色処理方法。
【請求項８】
前記色情報群は、規則的に配列された標本点に対応する複数の色座標値であることを特徴とする請求項１乃至７のいずれかに記載の色処理方法。
【請求項９】
前記色情報取得工程では第一の色情報群と第二の色情報群が取得され、
前記生成工程では、前記第一の色情報群に含まれる第一の色座標値と前記第二の色情報群に含まれる前記第二の色座標値との対応関係を表す画像が生成されることを特徴とする請求項１乃至８のいずれかに記載の色処理方法。
【請求項１０】
更に、前記ユーザー指示に基づき、前記対応関係を表す画像を生成するか否かを設定する設定工程を有することを特徴とする請求項９に記載の色処理方法。
【請求項１１】
前記第一の色情報群と前記第二の色情報群とは、第一の表色系の色座標値と第二の表色系の色座標値との対応情報であり、
前記第一の色座標値および前記第二の色座標値は、前記第一の表色系における同一の色座標値に対応する、前記第一の色情報群における前記第二の表色系の色座標値および前記第二の色情報群における前記第二の表色系の色座標値であることを特徴とする請求項９または請求項１０に記載の色処理方法。
【請求項１２】
前記対応関係は、前記第一の色座標値と前記第二の色座標値との差分を示す矢印であることを特徴とする請求項１０又は１１に記載の色処理方法。
【請求項１３】
更に、ユーザー指示に基づき、所定の色相を指定する色相指定工程を有し、
前記生成工程では、前記指定された色相に含まれる第一の色座標値と第二の色座標値との対応関係を表す画像が生成されることを特徴とする請求項９乃至１２のいずれかに記載の色処理方法。
【請求項１４】
前記第一の色座標値は、ガマットマッピング前の色座標値であり、
前記第二の色座標値は、ガマットマッピング後の色座標値であることを特徴とする請求項９乃至１３のいずれかに記載の色処理方法。
【請求項１５】
前記生成工程では、複数の前記第一の色座標値と前記第二の色座標値との対応関係を表す画像が共に生成されることを特徴とする請求項８乃至請求項１３のいずれかに記載の色処理方法。
【請求項１６】
前記請求項１乃至１５のいずれかに記載された色処理方法をコンピュータに実行させるためのコンピュータプログラム。
【請求項１７】
複数の３次元オブジェクトを表示するための色処理装置であって、
複数の色情報群を取得する色情報群取得手段と、
取得された前記複数の色情報群を用いて、複数の３次元オブジェクトデータを生成する３次元オブジェクトデータ生成手段と、
前記３次元オブジェクトにおいて表示する部分が異なる複数の表示形態から、ユーザー指示に応じて選択された表示形態を、前記３次元オブジェクトデータの表示形態として設定する設定手段と、
前記複数の３次元オブジェクトデータを用いて、設定された前記表示形態に応じた複数の３次元オブジェクト画像を生成する生成手段とを有することを特徴とする色処理装置。
【手続補正３】
【補正対象書類名】明細書
【補正対象項目名】０００１
【補正方法】変更
【補正の内容】
【０００１】
【発明の属する技術分野】
本発明は、複数の色情報群に応じた３次元オブジェクト表示を行うためのものに関する。
【手続補正４】
【補正対象書類名】明細書
【補正対象項目名】０００８
【補正方法】変更
【補正の内容】
【０００８】
このため、ユーザーが複数の色情報を直感的に簡単に比較できるようにすることを目的とする。
【手続補正５】
【補正対象書類名】明細書
【補正対象項目名】００１０
【補正方法】変更
【補正の内容】
【００１０】
本発明は、複数の３次元オブジェクトを表示するための色処理方法であって、複数の色情報群を取得する色情報群取得工程と、取得された前記複数の色情報群を用いて、複数の３次元オブジェクトデータを生成する３次元オブジェクトデータ生成工程と、前記３次元オブジェクトにおいて表示する部分が異なる複数の表示形態から、ユーザー指示に応じて選択された表示形態を、前記３次元オブジェクトデータの表示形態として設定する設定工程と、前記複数の３次元オブジェクトデータを用いて、設定された前記表示形態に応じた複数の３次元オブジェクト画像を生成する生成工程とを有することを特徴とする。
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００７４
【補正方法】変更
【補正の内容】
【００７４】
【発明の効果】
以上説明したように本発明によれば、ユーザーは、複数の色情報を直感的に簡単に比較することができる。
【手続補正１１】
【補正対象書類名】明細書
【補正対象項目名】００７５
【補正方法】削除
【補正の内容】